(57)【特許請求の範囲】
【請求項１】
可撓性を有する第１シートと第２シートと、
前記第１シートと前記第２シートの縁部に沿って配置されて前記第１シートと前記第２シートを接合する接合部と、
を有し、
前記接合部の全ては、直線状の前記縁部の辺方向の内側に配置され、
前記接合部の両端部から切り込まれる切込み部を前記第２シートのみに備えることを特徴とするシート状物品収納容器。
【請求項２】
前記第２シートは、前記接合部側を含む幅方向に亘って、前記第１シートよりも外方に延在する延在領域を有することを特徴とする請求項１に記載のシート状物品収納容器。
【請求項３】
前記第１シート及び前記第２シートは、矩形に形成され、
前記矩形の３辺に前記接合部及び前記切込み部が配置され、
前記矩形の１辺が開口されることを特徴とする請求項１又は請求項２に記載のシート状物品収納容器。
【請求項４】
前記第２シートの背面には貼着部が設けられ、
前記切込み部は、平面視Ｕ字状に形成されることを特徴とする請求項１乃至請求項３の何れか記載のシート状物品収納容器。
【発明の詳細な説明】
【技術分野】
【０００１】
本発明は、紙や布等のシート状物品を収納することができる容器に関する。
【背景技術】
【０００２】
従来から、書類の保管やチラシ等の展示等を目的として紙や布等のシート状物品を収納することができる容器が開示されている。例えば、特許文献１には、表面及び裏面の矩形シートの三辺がシールされて袋状とされるシート状物品収納容器が開示されている。このシート状物品収納容器は、裏面シートの背面に、壁面等に繰り返し貼着剥離可能な貼着剥離層が設けられ、この裏面シートに印刷面が形成されている。
【０００３】
また、特許文献２には、表面と裏面のシートのうち、一方の面にメタリック調のシートを貼合させたシート状物品収納容器が開示されている。
【先行技術文献】
【特許文献】
【０００４】
【特許文献１】特開２０１３−４０９８９号公報
【特許文献２】特開２０１０−１２６４８号公報
【発明の概要】
【発明が解決しようとする課題】
【０００５】
特許文献１で開示されるシート状物品収納容器が壁面等に貼着されている状態においては、シート状物品収納容器の裏面シートは壁面に貼着されており、表面シートは直接壁面と触れていない。従って、収納されるシート状物品の枚数や気温の変化により、表面シートと裏面シートに掛かる張力や収縮量に差が生じる場合がある。このように、表面シートと裏面シートの状態に差が生じると、シート状物品収納容器が変形してしまうことがある。すると、裏面シートの粘着剥離層が壁面から離れてしまい、シート状物品収納容器自体が壁面から脱落してしまうことがある。
【０００６】
また、特許文献２に開示されるシート状物品収納容器においては、表面及び裏面の一方のシートにメタリック調のシートが貼合されているため、貼合するための接着剤の影響等により、表面シートと裏面シートに掛かる張力や収縮量が異なる場合がある。すると、シート状物品収納容器がいびつに変形してしまう場合がある。
【０００７】
以上の問題点を鑑みて、本発明の目的は、変形を低減したシート状物品収納容器を提供する。
【課題を解決するための手段】
【０００８】
本発明のシート状物品収納容器は、可撓性を有する第１シートと第２シートと、前記第１シートと前記第２シートの縁部に沿って配置されて前記第１シートと前記第２シートを接合する接合部と、を有し、前記接合部の全ては、直線状の前記縁部の辺方向の内側に配置され、前記接合部の両端部から切り込まれる切込み部を前記第２シートのみに備える。
【０００９】
また、前記第２シートは、前記接合部側を含む幅方向に亘って、前記第１シートよりも外方に延在する延在領域を有する。
【００１０】
また、前記第１シート及び前記第２シートは、矩形に形成され、前記矩形の３辺に前記接合部及び前記切込み部が配置され、前記矩形の１辺が開口される。
【００１１】
また、前記第２シートの背面には貼着部が設けられ、前記切込み部は、平面視Ｕ字状に形成される。
【発明の効果】
【００１２】
本発明によれば、シート状物品収納容器は、可撓性を有する第１シートと第２シートを接合する接合部を有し、第２シートには接合部に対応する第２シートの縁から切り込まれる切込み部が備えられる。従って、第１シートの収縮量が大きい場合や第２シートに掛かる張力が強い場合等、第１シート側に曲がるように変形しようとする場合は、シート状物品収納容器は、接合部付近が持ち上がるようにして接合部付近の第２シートが変形し、その他の部位の第１シート及び第２シートの変形は少ない。一方、第２シートの収縮量が大きい場合や第１シートに掛かる張力が強い場合等、第２シート側に曲がるように変形しようとする場合は、接合部が第２シート側に曲がるようにして第１シートが変形しようとしても、第２シートの切込み部で第１シートが支持されるので、その他の部位の第１シート及び第２シートの変形は少ない。このようにして、第１シートと第２シートの状態に差が生じても、部分的な変形のみで、全体の変形は低減される。
【００１３】
また、シート状物品収納容器は、接合部に対して両端側二箇所に切込み部が配置されることにより、第１シート側に曲がるように変形しようとする場合には接合部が持ち上がり易くなり、第２シート側に曲がるように変形しようとする場合には切込み部による第１シートの支持が２点で行われることとなる。従って、シート状物品収納容器全体の変形をさらに低減することができる。
【００１４】
また、シート状物品収納容器は、第１シート及び第２シートを矩形に形成し、３辺に接合部を配置して、他の１辺が開口するように形成する。これにより、通常矩形に形成されるチラシや書類等に合わせた形状とすることができるので、使い易いシート状物品収納容器を提供することができる。
【００１５】
また、シート状物品収納容器は、第２シートの背面には貼着部が設けられ、切込み部は平面視Ｕ字状に形成する。これにより、シート状物品収納容器は、貼着部により、壁面等の平坦部に貼り付けて使用することができる。そして、シート状物品収納容器は、切込み部が平面視Ｕ字状に形成されることにより、見た目の良い切込み部とすることができるので、デザインを向上させたシート状物品収納容器を提供することができる。
【図面の簡単な説明】
【００１６】
【図１】本発明の第１実施形態に係るシート状物品収納容器を示す一部破断平面図である。
【図２】本発明の第２実施形態に係るシート状物品収納容器を示す一部破断平面図である。
【図３】本発明の第３実施形態に係るシート状物品収納容器を示す一部破断平面図である。
【図４】本発明の第４実施形態に係るシート状物品収納容器を示す一部破断平面図である。
【発明を実施するための形態】
【００１７】
（第１実施形態）
次に、本発明の第１実施形態について、図１に基づいて説明する。図１はチラシ等を収納して壁面等に貼り付けて展示するためのカードケースとしてのシート状物品収納容器１０である。なお、図１はシート状物品収納容器１０の表面側の第１シート１１の右側の一部を破断して示している。
【００１８】
ここで、シート状物品とは、紙や布等のシート状に形成された物品である。具体的には、書類やチラシ等をいう。シート状物品収納容器１０は、表面に配置される第１シート１１と、裏面に配置される第２シート１２を備える。従って、第１シート１１と第２シート１２との間にシート状物品を収納することができる。第１シート１１及び第２シート１２ともに、アクリル材により形成される透明な可撓性を有するシートである。
【００１９】
第１シート１１と第２シート１２は、角部をＲ面取りされた矩形形状とされる。第１シート１１と第２シート１２は、左右の横方向は同一幅とされ、上下の縦方向は第２シート１２の方が長く形成されている。第１シート１１と第２シート１２は、下辺及び左右の辺を合致して接合されている。従って、シート状物品収納容器１０の上部は、第２シート１２の上辺１２ａが第１シート１１の上辺１１ａよりも上方に配置される。換言すれば、第２シート１２は、第１シート１１の上辺１１ａよりも外方に延在するように、上辺１１ａと第２シート１２の上辺１２ａ及び第２シート１２の左右の辺により囲まれる延在領域１２ｂが形成されている。
【００２０】
第１シート１１と第２シート１２は、下辺及び左右の辺に配置される接合部１４により接合される。接合部１４は、配置される各辺の縁部に沿って直線状に形成されている。この接合部１４は、熱溶着により接合される部位である。接合部１４は、第１シート１１及び第２シート１２の各辺よりも短く形成されている。
【００２１】
一方、第１シート１１の上辺１１ａ側は、第２シート１２と接合されていない。従って、第１シート１１の上辺１１ａは開口部１５とされる。この開口部１５から紙や布等のシート状物品をシート状物品収納容器１０に挿入して収納することができる。そして、延在領域１２ｂにより、開口部１５に手指を挿入して開き易くなるので、シート状物品を開口部１５から出し入れする作業も容易に行うことができる。
【００２２】
接合部１４の両端側である接合部１４の両端部における第２シート１２には、それぞれ切込み部１６が設けられている。切込み部１６は、下辺及び左右の辺それぞれ２箇所ずつ、計６個配置されている。切込み部１６は、接合部１４に対応する第２シート１２の縁１２ｃから切り込まれるように、平面視Ｕ字状の切欠き状に形成されている。
【００２３】
また、下辺及び左右の辺の下側の切込み部１６における接合部１４と反対側には、シート状物品収納容器１０の左辺と下辺及び右辺と下辺とが交わる角部近傍に形成される接合部１４が存在しない領域（換言すれば、第１シート１１と第２シート１２が分離される領域）とされる角領域１７が形成される。
【００２４】
また、シート状物品収納容器１０は、第２シート１２の背面全面に粘着剤が塗布されて貼着部が形成される。この粘着剤により、シート状物品収納容器１０は、壁面等の平坦面に対して、貼着と剥離を繰り返し行うことが可能とされている。
【００２５】
このように形成されるシート状物品収納容器１０は、例えば、このシート状物品収納容器１０にチラシ等を収納して、店舗内の壁面に貼着して掲示すれば、顧客等はシート状物品収納容器１０に収納されたチラシ等を容易に視認することができるので、店舗等の宣伝広告を効果的に行うことができる。
【００２６】
なお、切込み部１６は、第２シート１２のみに設けられるので、チラシ等のシート状物品を収納した状態でシート状物品収納容器１０を第１シート１１側から見たときに切込み部１６の大部分が見えなくなるので、見栄え良くチラシ等を展示することができる。
【００２７】
ここで、壁面に貼着されたシート状物品収納容器１０のうち、第２シート１２は、面積の大きい壁面と密着しているので、気温が変化しても温度変化の度合いは小さい。一方、壁面と直接接触していない第１シート１１は、気温の変化に応じて温度変化する場合がある。従って、同質のアクリル材料により形成されていても、第１シート１１の方が第２シート１２よりも熱収縮量が大きい場合がある。
【００２８】
第１シート１１の熱収縮量が第２シート１２よりも大きくなり、第１シート１１が第２シート１２に比して大きく収縮すると、第１シート１１の張力により、下辺及び左右の辺にそれぞれ配置される二箇所の切込み部１６間の接合部１４が壁面から離れて持ち上がる。ここで、切込み部１６が設けられていない場合には、第２シート１２の下辺及び左右の辺が全体的に壁面から持ち上がり、シート状物品収納容器１０の角部が壁面から剥がれてしまう。角部が壁面から剥がれてしまうと、シート状物品収納容器１０自体が壁面から剥がれ落ちてしまう場合がある。しかしながら、本実施形態においては、上述の通り、第１シート１１側に曲がるよう変形しようとする場合には、二箇所の切込み部１６を境にして接合部１４付近の第２シート１２が壁面から離れて持ち上がるようにして変形し、その他の部分の第１シート１１及び第２シート１２は殆ど変形しない。従って、シート状物品収納容器１０全体の変形が低減される。よって、角領域１７は壁面に密着していることとなるので、シート状物品収納容器１０自体が壁面から剥がれ落ち難くなる。さらに、本実施形態におけるシート状物品収納容器１０は、第１シート１１の変形の影響を受け難い延在領域１２ｂが壁面に密着しているので、より確実にシート状物品収納容器１０の壁面からの脱落を低減させることができる。
【００２９】
また、シート状物品収納容器１０を壁面等に貼り付けていない場合等には、気温の変化により、第２シート１２の方が第１シート１１よりも熱収縮量が大きい場合もある。この場合には、第２シート１２が収縮して接合部１４が図１における背面側（第２シート１２側）に曲がるように第１シート１１は変形しようとするが、角領域１７における第１シート１１は第２シート１２の収縮によっては変形しない。角領域１７における第２シート１２は収縮するのみで、図１の紙面に垂直な方向に曲がるようには変形しない。従って、第２シート１２の方が第１シート１１よりも熱収縮量が大きい場合には、図１の紙面に垂直な方向において切込み部１６と対向する第１シート１１の面は、接合部１４と反対側の切込み部１６の縁部により支持される。これにより、切込み部１６に支持される第１シート１１の部位以外の第１シート１１及び第２シート１２は変形し難くなるので、シート状物品収納容器１０全体の変形が低減される。さらに、切込み部１６に支持される第１シート１１の部位は、第２シート１２の熱収縮量が第１シート１１の熱収縮量よりも大きい場合における、第１シート１１の変形領域といえる。そして、この変形領域は、具体的には、切込み部１６における接合部１４と反対側の切込み部１６の縁部近傍である。従って、この変形領域は比較的小さく形成されるものである。
【００３０】
（第２実施形態）
次に、本発明の第２実施形態を図２に基づいて説明する。本実施形態のシート状物品収納容器２０は、第１実施形態のシート状物品収納容器１０と同様に、壁面等に貼着させてチラシ等の展示を行うカードケースとされている。なお、図２においても、シート状物品収納容器２０における表側の第１シート２１右側の一部を破断して示している。本実施形態のシート状物品収納容器２０は、第１実施形態のシート状物品収納容器１０の切込み部１６に換えて、長手方向を各辺に沿って配置した矩形に形成した切欠き状の切込み部２６としたものである。従って、第１実施形態と同じ個所については同じ符号を付して、その説明は省略又は簡略化する。
【００３１】
本実施形態の切込み部２６においても、切込み部２６は、接合部１４に対応する第２シート２２の縁２２ｃから切り込まれて形成されている。そして、切込み部２６は、接合部１４の両端側における接合部１４の両端部二箇所に配置されている。また、左右の辺の下端側の切込み部２６と下辺両端の切込み部２６は接続されて、第２シート１２の角部を切り取るようにして形成されている。
【００３２】
本実施形態においても同様に、第１シート２１の収縮量が第２シート２２の収縮量よりも大きくなった場合には、切込み部２６間の接合部１４付近の第２シート２２が壁面から離れるように変形し、第１シート２１及び第２シート２２のその他の部位の変形が低減される。従って、シート状物品収納容器２０全体の変形が低減されて、角領域１７は壁面に継続して密着されるので、シート状物品収納容器２０の壁面からの脱落が低減される。シート状物品収納容器２０が壁面等に貼着されていない状態等において第２シート２２の収縮量が第１シート２１の収縮量よりも大きくなった場合には、図２の紙面に垂直な方向において切込み部２６と対向する第１シート２１の面は、切込み部２６の縁部（換言すれば、角領域１７の縁部）により支持されるので、この部位以外の第１シート２１及び第２シート２２の変形は低減される。
【００３３】
（第３実施形態）
次に、本発明の第３実施形態を図３に基づいて説明する。本実施形態のシート状物品収納容器３０は、第１実施形態のシート状物品収納容器１０と同様に、壁面等に貼着させてチラシ等の展示を行うカードケースとされている。なお、図３においても、シート状物品収納容器３０における表側の第１シート３１右側の一部を破断して示している。第３実施形態に係るシート状物品収納容器３０は、第１実施形態に係るシート状物品収納容器１０の切込み部１６に換えて、溶着からなる接合部３４の両端部に切込み部３６ａを配置するとともに接合部３４の中間位置にも切込み部３６ｂが配置されたものである。従って、第１実施形態と同じ個所については同じ符号を付して、その説明は省略又は簡略化する。
【００３４】
本実施形態においても、切込み部３６ａは、接合部３４に対応する第２シート３２の縁３２ｃから切り込まれて形成されている。さらに詳細には、接合部３４は、切込み部３６ｂにより長手方向に分断された接合部３４ａ，３４ｂからなる。そして、接合部３４ａ，３４ｂは、それぞれの両端側である両端部に切込み部３６ａ，３６ｂが配置される。切込み部３６ａ，３６ｂは、第１実施形態と同様に、平面視Ｕ字状に形成されている。
【００３５】
本実施形態においても同様に、第１シート３１の収縮量が第２シート３２の収縮量よりも大きくなった場合においても、切込み部３６ａと切込み部３６ｂとの間の接合部３４ａ，３４ｂ（又は、二箇所の切込み部３６ａ間の接合部３４）付近の第２シート３２が壁面から離れるように変形し、第１シート３１及び第２シート３２のその他の部位の変形は低減される。従って、シート状物品収納容器３０全体の変形が低減されて、角領域１７は壁面に継続して密着されるので、シート状物品収納容器３０の壁面からの脱落が低減される。一方、シート状物品収納容器３０が壁面等に貼着されていない状態等において、第２シート３２の収縮量が第１シート３１の収縮量よりも大きくなった場合には、図３の垂直な方向において切込み部３６ａと対向する第１シート３１の面が切込み部３６ａの縁部により支持される。これにより、切込み部３６ａに支持される第１シート３１の部位以外の第１シート３１及び第２シート３２は変形し難くなるので、シート状物品収納容器３０全体の変形が低減される。
【００３６】
（第４実施形態）
次に、本発明の第４実施形態を図４に基づいて説明する。なお、図４は、シート状物品収納容器４０における表側の第１シート４１左側の一部を破断して示している。第４実施形態に係るシート状物品収納容器４０は、可撓性を有するポリプロピレン材の一枚のシートを折畳み部４８で折り畳んで右辺を形成し、下辺縁と左辺側にそれぞれ接合部４４ａ，４４ｂを配置した携帯可能なカードケースである。従って、裏面側の第２シート４２の背面は、第１〜第３実施形態のシート状物品収納容器１０，２０，３０と異なり、粘着剤からなる貼着部は設けられていない。また、本実施形態に係るシート状物品収納容器４０は、第１〜第３実施形態のシート状物品収納容器１０，２０，３０と異なり、各辺の縁は表面側の第１シート４１及び裏面側の第２シート４２ともに同一形状とされている。そして、上辺及び左右の辺は略直線状に形成され、下辺は下方に凸とされる凸円弧状に形成されている。ここで、以下の説明においては、第１実施形態と同じ個所については同じ符号を付して、その説明は省略又は簡略化する。
【００３７】
シート状物品収納容器４０の下辺縁には、シート状物品収納容器４０の下辺縁に沿って凸円弧状の熱溶着からなる接合部４４ａが配置されている。切込み部４６ａは、接合部４４ａに対応する第２シート４２の縁４２ｃから切り込まれて形成されている。切込み部４６ａは平面視において異形に形成される。切込み部４６ａは、接合部４４ａの両端端部から離間した接合部４４ａの両端側二箇所に配置されている。
【００３８】
また、左側の接合部４４ｂは、シート状物品収納容器４０の左辺縁よりも内方である第２シート４２の左側の縁部近傍に配置されている。そして、この接合部４４ｂに対応する第２シート４２の縁４２ｄから切り込まれる切込み部４６ｂは、スリット状に形成されている。切込み部４６ｂにおけるシート状物品収納容器４０の内方側の端部４６ｂ１は、接合部４４ｂよりもシート状物品収納容器４０の内方側（換言すれば、右辺側）に位置している。
【００３９】
このように形成されるシート状物品収納容器４０では、第１シート４１と第２シート４２の状態に差が生じる場合がある。具体的には、例えば隠蔽のため第１シート４１の表面に印刷を施すと、第１シート４１と第２シート４２の熱収縮量が異なる場合がある。このような場合においても、第１シート４１の収縮量が第２シート４２の収縮量よりも大きい場合には接合部４４ａ付近の第２シート４２が正面側（第１シート４１側）に曲がるようにして変形し、その他の第１シート４１及び第２シート４２の部位は変形し難い。一方、第２シート４２の収縮量が第１シート４１の収縮量よりも大きい場合には、接合部４４ａ付近の第１シート４１は背面側（第２シート４２側）に曲がろうとする。このとき、図４の紙面に垂直な方向における切込み部４６ａと対向する第１シート４１の面は、切込み部４６ａの縁部により支持される。従って、切込み部４６ａにより支持される第１シート４１の部位以外の第１シート４１及び第２シート４２の変形は低減される。
【００４０】
また、左辺においても、第１シート４１の収縮量が第２シート４２の収縮量よりも大きい場合には接合部４４ｂの右側付近における第２シート４２が正面側（第１シート４１側）に曲がるように変形し、その他の第１シート４１及び第２シート４２の部位は変形し難い。一方、第２シート４２の収縮量が第１シート４１の収縮量よりも大きい場合には、接合部４４ｂは背面側（第２シート４２側）に曲がるように変形しようとするので、図４の紙面に垂直な方向における切込み部４６ｂと対向する第１シート４１の面は、切込み部４６ｂの開口部１５側のスリット状の縁に沿って支持される。従って、このスリット状の縁で支持される第１シート４１の部位以外の第１シート４１及び第２シート４２の変形は低減される。なお、スリット状の切込み部４６ｂは、接合部４４ｂに対して一方端側のみ配置したが、他方端側にも同様に切込み部を配置すれば、第１シート４１の収縮量が大きい場合には接合部４４ｂが持ち上がり易く、第２シート４２の収縮量が大きい場合には２点の切込み部で第１シート４１を支持できるので、好適である。
【００４１】
以上、本発明の実施形態を説明したが、本発明は以上の実施形態によって限定されることはなく、種々の変形を加えて実施することができる。例えば、第１シート１１，２１，３１，４１及び第２シート１２，２２，３２，４２の材質は、アクリル材やポリプロピレン材に限られず、可撓性を有するものであれば、他の合成樹脂や金属薄膜材等の種々の材料を用いて形成することができる。
【００４２】
また、上記各実施形態においては、第１シート１１，２１，３１，４１と第２シート１２，２２，３２，４２を熱溶着とされる接合部１４，３４，４４ａ，４４ｂにより接合したが、第１シートと第２シートの接合方法は熱溶着に限られず、超音波溶着や接着剤等で接合された接合部とすることもできる。
【００４３】
また、切込み部１６，２６，３６ａ，３６ｂ，４６ａ，４６ｂは、平面視Ｕ字状や矩形状、異形形状やスリット状としたが、接合部に対応する第２シートの縁から切り込まれるものであれば他の形状としても良い。また、切込み部が切り込まれる方向は、第２シートの縁から垂直な方向に限られず、斜めに切り込むように形成することもできる。ただし、平面視Ｕ字状とすれば、デザイン上好適である。さらにまた、上記第１実施形態及び第３実施形態における接合部１４，３４や第４実施形態の接合部４４ａは、これらの接合部１４，３４，４４ａに対して両端側に切込み部１６，３６ａ，４６ａを設けたが、接合部１４，３４，４４ａに対して少なくとも両端側二箇所に切込み部が配置されていれば、切込み部の数をさらに増やして配置してもよい。
【００４４】
また、シート状物品収納容器１０，２０，３０の第２シート１２，２２，３２の背面には粘着剤からなる貼着部が設けられているが、この貼着部は粘着剤に限られず、吸着層や静電気や水の表面張力を利用した貼着等、種々の形態の貼着部とすることができる。すなわち、貼着部は、壁面等の平坦面に貼着と剥離を繰り返し行えるものであればよい。さらに、第２シート１２，２２，３２の背面全面に粘着剤を塗布するものに限られず、粘着剤を第２シート１２，２２，３２の背面の一部に塗布して貼着部を形成することもできる。
【００４５】
また、以上の各実施形態においては、シート状物品収納容器１０，２０，３０，４０は、第１シート１１，２１，３１，４１と第２シート１２，２２，３２，４２を備える構成としたが、この他、さらにシートを追加して接合し、シート状物品を収納する部分が２以上形成される構成としても良い。
【符号の説明】
【００４６】
１０      シート状物品収納容器          １１      第１シート
１１ａ    上辺                          １２      第２シート
１２ａ    上辺                          １２ｂ    延在領域
１２ｃ    縁                            １４      接合部
１５      開口部                        １６      切込み部
１７      角領域                        ２０      シート状物品収納容器
２１      第１シート                    ２２      第２シート
２２ｃ    縁                            ２６      切込み部
３０      シート状物品収納容器          ３１      第１シート
３２      第２シート                    ３２ｃ    縁
３４      接合部                        ３４ａ    接合部
３４ｂ    接合部
３６ａ    切込み部                      ３６ｂ    切込み部
４０      シート状物品収納容器          ４１      第１シート
４２      第２シート                    ４２ｃ    縁
４２ｄ    縁                            ４４ａ    接合部
４４ｂ    接合部                        ４６ａ    切込み部
４６ｂ    切込み部
４６ｂ１  端部                          ４８      折畳み部
【図１】
0006594676.tif 000002
【図２】
0006594676.tif 000003
【図３】
0006594676.tif 000004
【図４】
0006594676.tif 000005